(57)【要約】【課題】ファンの立場からは魅力的な市場価値のある景品を受け取ることができ、業界の健全な発展にも寄与する遊技場管理システムを提供する。【解決手段】ファンへの景品として金地金を提供するとともに、ファンからの金地金積立の申し出をＰＯＳ端末１６で受け付ける。ＰＯＳ端末１６では、勝ち玉の一部又は全部を、ファンが申し出た時点の買い取り価格をもとに金地金重量に換算し、その金地金重量をファン（積立会員）の識別情報、積立用権限情報と共に指定口座管理ホスト２へ通知する。指定口座管理ホスト２は、金地金重量を当該ファン用の積立口座に登録しておき、ファンからの依頼により、何時でも何処からでも、現金引き渡し、金地金返却、カタログ景品の配送を行う。【選択図】　図１
2004049649.tif 000002
【特許請求の範囲】
【請求項１】
その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；
景品獲得の権利を有する権利者が獲得すべき当該景品の一部又は全部を前記貴金属価値データに基づいて権利者が申し出た時点の貴金属価値に換算する価値換算手段と；
前記権利者からの貴金属積立依頼を受け付ける受付手段と；
この受付手段による前記貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信して前記権利者のための貴金属積立を行わせる積立管理手段と；
を備えてなる貴金属景品管理システム。
【請求項２】
前記景品が所定の遊技により前記権利者が得た遊技価値の代償として提供されるものであり、
前記権利者が得た遊技価値は、不揮発性の遊技価値貯蓄領域に数値データとして累積記録することが可能なものであり、
前記価値換算手段は、前記遊技価値貯蓄領域に累積記録されている数値データと前記貴金属価値データとの演算処理によって前記貴金属価値を算出するように構成されるものである、
請求項１記載の貴金属景品管理システム。
【請求項３】
前記データ通信手段を通じて取得した貴金属価値データを保持する貴金属価値データ保持手段と、この貴金属価値データ保持手段に保持されているデータに基づいて貴金属価値データの変動状況を生成し、この変動状況を前記権利者に提示するための貴金属価値提示手段をさらに備えてなる、
請求項１記載の貴金属景品管理システム。
【請求項４】
前記権利者を前記遊技価値の累積記録及び貴金属の積立を可能にする通常会員として登録するとともに通常会員であることの証明情報を記録した通常会員情報記録媒体を発行する通常会員登録手段と；
前記通常会員を貴金属の処分を可能にする特別会員として登録するとともに特別会員であることの証明情報を記録した特別会員情報記録媒体を発行する特別会員登録手段と；をさらに備え、
前記積立管理手段は、
前記通常会員情報記録媒体又は前記特別会員情報記録媒体に記録されている証明情報の読み出しを条件として前記積立要求データを生成するように構成されている、
請求項１記載の貴金属景品管理システム。
【請求項５】
前記特別会員情報記録媒体には、前記指定口座に積み立てられている貴金属の決済時点での価値による電子決済処理を可能にする権限情報が記録されている、
請求項４記載の貴金属景品管理システム。
【請求項６】
前記特別会員情報記録媒体は、所定のプログラムコードとの協働によって、前記指定口座に積み立てられている貴金属の決済時点での価値による電子決済処理を可能にする決済手段を構築するＩＣチップを搭載した媒体である、
請求項４記載の貴金属景品管理システム。
【請求項７】
景品の提供に関わる情報処理を行う一又は複数の第１管理システムと、その価値が日々変動する貴金属の積立用の指定口座を管理する第２管理システムとを含み、
前記第１管理システムは、
前記第２管理システムとの間で双方向のデータ通信を行うとともに、前記第２管理システム又は所定の貴金属価値公表システムから当該時点での貴金属価値を表す貴金属価値データを周期的に取得するデータ通信手段と；
景品獲得の権利を有する権利者が獲得すべき当該景品の一部又は全部を前記基金増価値データに基づいて権利者が申し出た時点の貴金属価値に換算する価値換算手段と；
前記権利者からの貴金属積立依頼を受け付ける受付手段と；
この受付手段による前記貴金属積立依頼の受付を契機に、前記価値換算手段で換算された貴金属価値に対応する貴金属の積立要求データを生成するとともに、この積立要求データを前記データ通信手段を通じて前記第２管理システムに送信して前記権利者のための貴金属積立を行わせる積立管理手段と；を備えるものであり、
前記第２管理システムは、
前記一又は複数の第１管理システムとの間で双方向のデータ通信を行うデータ通信手段と；
貴金属を積み立てるための指定口座を前記権利者毎に設定する指定口座設定手段と；
いずれかの前記第１管理システムより受領した積立要求データに基づく指定口座への貴金属の積立に関する情報処理を行う積立管理手段と；
所定の権限情報を伴う貴金属の処分要求データの受領を契機に前記指定口座からの貴金属の処分に関わる情報処理を行う処分管理手段と；を備えるものである、
貴金属景品管理システム。
【請求項８】
前記第２管理システムは、前記指定口座設定手段が指定口座を設定する際に、貴金属積立用の第１権限情報と、この第１権限情報とは異なる貴金属処分用の第２権限情報とを発行するとともに、これらの権限情報を当該指定口座の識別情報と関連付けて所定の権限情報記録領域に記録しておき、
前記積立管理手段による認証の際に第１権限情報が読み出し可能になり、前記処分管理手段による認証の際に第２権限情報が読み出し可能になるように構成されている、
請求項７記載の貴金属景品管理システム。
【請求項９】
前記第２管理システムが、
前記指定口座への貴金属積立又は前記指定口座からの貴金属処分に際して、積立又は処分した分の貴金属を流通させるための流通指示データを生成し、この流通指示データを、該当する貴金属流通機関に設置される情報処理システム宛に送信する流通管理手段；をさらに備えてなる、
請求項７記載の貴金属景品管理システム。
【請求項１０】
所定の遊技により権利者に遊技価値を提供する遊技場に設置されるシステムであって、
その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；
権利者が獲得した遊技価値を不揮発性の遊技価値貯蓄領域に遊戯者毎の数値データとして累積記録する遊技価値貯蓄手段と；
前記遊技価値貯蓄手段に累積記録されている遊技価値の一部又は全部を前記権利者による再遊技のために返却するとともに返却した分の遊技価値を前記遊技価値貯蓄領域より差し引く遊技価値返却手段と；
前記遊技価値貯蓄手段に累積記録されている遊技価値の一部又は全部を前記貴金属価値データに基づいて前記権利者が申し出た時点の貴金属価値に換算する価値換算手段と；
前記権利者からの貴金属積立依頼を受け付ける受付手段と、
この受付手段による前記貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信して前記権利者のための貴金属積立を行わせる積立管理手段と；
を備えてなる遊技場管理システム。
【請求項１１】
一又は複数の遊技場の各々に設置される貴金属景品管理システムと、その価値が日々変動する貴金属の積立用の指定口座を管理する機関に設置される指定口座管理ホストと、貴金属を流通させる一又は複数の機関の各々に設置される流通管理システムとをデータ通信回線を通じて接続し、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受信した前記積立要求データに基づいて前記権利者用に設定した指定口座に貴金属を積み立てる処理を行う段階と；
前記流通管理システムにおいて、前記権利者が申し出た量の貴金属の返却要求データ又は売却要求データを生成し、生成した返却要求データ又は売却要求データを前記指定口座管理ホストに送信する段階と；
前記指定口座管理ホストにおいて、いずれかの流通管理システムより受信した前記返却要求データ又は売却要求データに基づいて前記指定口座から該当する価値分の貴金属を処分する処理を行う段階と；
を有することを特徴とする、貴金属景品の管理方法。
【請求項１２】
一又は複数の遊技場の各々に設置される貴金属景品管理システムと、その価値が日々変動する貴金属の積立用の指定口座を管理する機関に設置される指定口座管理ホストと、貴金属価値に基づく電子決済処理を行う一又は複数の機関の各々に設置される決済管理システムとをデータ通信回線を通じて接続し、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受領した前記積立要求データに基づいて前記権利者用に設定した指定口座に貴金属を積み立てる処理を行う段階と；
前記決済管理システムにおいて、決済時点での価値に相当する量の貴金属の引き落とし要求データを生成し、生成した引き落とし要求データを前記指定口座管理ホストに送信する段階と；
前記指定口座管理ホストにおいて、いずれかの決済管理システムより受領した前記引き落とし要求データに基づいて前記指定口座から該当する量の貴金属を処分する処理を行う段階と；
を有することを特徴とする、貴金属景品の管理方法。
【請求項１３】
前記指定口座管理ホストを、その運営主体が前記一又は複数の遊技場の各々の運営主体と異なる第三者機関に設置することを特徴とする、
請求項１１又は１２記載の管理方法。
【請求項１４】
前記指定口座管理ホストにおいて、貴金属積立用の第１権限情報と、貴金属処分用の第２権限情報とを権利者用の指定口座毎に設定しておき、前記貴金属景品管理システムには前記第１権限情報に基づく要求のみを許容することを特徴とする、
請求項１１又は１２記載の管理方法。
【請求項１５】
前記指定口座管理ホストを設置する機関に、前記指定口座に積み立てられている貴金属と略同重量の現物を保有し、前記指定口座からの貴金属の処分に際して、処分した貴金属と同重量の現物を流通可能にしておくことを特徴とする、
請求項１１又は１２記載の管理方法。
【請求項１６】
その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段を備えたコンピュータ又はコンピュータシステムに、
景品獲得の権利を有する権利者が獲得すべき当該景品の一部又は全部を前記貴金属価値データに基づいて権利者が申し出た時点の貴金属価値に換算する処理；
前記権利者からの貴金属積立依頼を受け付ける処理；
前記貴金属積立依頼の受付を契機に、換算された貴金属価値に対応する貴金属の積立要求データを生成するとともに、この積立要求データを前記データ通信手段を通じて前記指定口座管理ホストに送信して前記権利者のための貴金属積立を行わせる処理；
を実行させるためのコンピュータプログラム。
【請求項１７】
一又は複数の遊技場の各々に設置される貴金属景品管理システム、その価値が日々変動する貴金属を流通させる一又は複数の機関の各々に設置される流通管理システム、及び、貴金属価値に基づく電子決済処理を行う一又は複数の機関の各々に設置される決済管理システムとの間で双方向のデータ通信を行うデータ通信手段を備えたコンピュータ又はコンピュータシステムに、
いずれかの貴金属景品管理システムから、遊技により権利者が獲得した貴金属価値に対応する貴金属の積立要求データを受信したときにその積立要求データに基づいて前記権利者用に設定した指定口座に貴金属を積み立てる処理；
いずれかの流通管理システムから、前記権利者が申し出た量の貴金属の返却要求データ又は売却要求データを受信したときにその返却要求データ又は売却要求データに基づいて前記指定口座から該当する価値分の貴金属を処分する処理；
いずれかの決済管理システムから、決済時点での価値に相当する量の貴金属価値の引き落とし要求データを受信したときにその引き落とし要求データに基づいて前記指定口座から該当する量の貴金属を処分する処理；
を実行させるためのコンピュータプログラム。
【発明の詳細な説明】
【０００１】
【発明の属する技術分野】
本発明は、遊技場において遊技によって得た勝ち玉やメダルなどの数で定まる遊技価値と交換することができる景品の管理システムに関する。
より詳しくは、パチンコ遊技、パチスロ遊技等の遊技環境を遊技者（以下、「ファン」）に提供する遊技場（以下、「ホール」）において、ファンが獲得した遊技価値を、それに対応する財産的な価値をもつ純金やプラチナなどの貴金属に交換させ、その貴金属をファン固有の指定口座に積み立てて任意の時点で処分できるようにするための情報処理技術に関する。
【０００２】
【発明の背景】
従来、パチンコ遊技機やパチスロ遊技機等を設置したホールでは、ファンが遊技によって獲得した遊技価値、例えば勝ち玉や勝ちメダルと等価値の景品の中から希望する景品を選択して交換できるようになっている。このような景品の中には、カタログなどを用いて選択できるものもある。また、このような景品とは別の特殊景品も用意されており、この特殊景品をホール外で現金に交換することもしばしば行われている。
【０００３】
最近は、遊技価値を景品との交換を行わずに貯えておくサービスも運用されている。貯えた遊技価値がパチンコ玉の場合は「貯玉」、そのサービスは「貯玉サービス」と呼ばれる。メダルについても同様の運用が行われている。
貯玉ができることにより、ファンは、複数回の遊技を行って貯玉を相当数貯めておいてからより高価値の景品と交換したり、貯玉を用いて遊技を行う、いわゆる貯玉再プレイを行うことが可能になる。
【０００４】
しかしながら、ファンが獲得した遊技価値を景品に交換しようとする際に、必ずしも嗜好に合ったものと交換できるとは限らないし、特殊景品の価値も、必ずしも市場価値と一致するとは限らない。特殊景品については、ホール側にとっても法律上の規制があってその管理が複雑になるなどの問題があった。
【０００５】
一方、パチンコ等の遊技が地域社会との共生を深め、業としての社会的イメージを向上させるための一方策として、景品の交換を地域の商店で行うことが検討されている。しかし、現実的には、法律上の制限（風適法）があるためにその実現が困難な状況になっている。例えば、景品の最高限度額が定まっているという問題、提携店による商品の買取ができないという問題、有価証券を景品として扱うことができないという問題等がある。
【０００６】
本発明は、上記の問題を解決し、ファンの立場からは魅力的な市場価値のある景品を受け取ることができ、且つ業界の健全な発展にも寄与する景品管理の仕組みを提供することを主たる課題とする。
【０００７】
【課題を解決するための手段】
上記課題を解決するため、本発明は、貴金属景品管理システム、遊技場管理システム、景品管理方法およびコンピュータプログラムを提供する。
【０００８】
貴金属景品管理システムの構成としては、少なくとも２つの形態、すなわち非分散処理型の第１の貴金属景品管理システムと、分散処理型の第２の貴金属景品管理システムとがある。
【０００９】
第１の貴金属景品管理システムは、その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；景品獲得の権利を有する権利者が獲得すべき当該景品の一部又は全部を前記貴金属価値データに基づいて権利者が申し出た時点の貴金属価値に換算する価値換算手段と；前記権利者からの貴金属積立依頼を受け付ける受付手段と；この受付手段による前記貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信して前記権利者のための貴金属積立を行わせる積立管理手段と；を備えたものである。
【００１０】
前記景品が所定の遊技により前記権利者が得た遊技価値の代償として提供されるものであり、前記権利者が得た遊技価値が不揮発性の遊技価値貯蓄領域に数値データとして累積記録できるものである場合、前記価値換算手段は、前記遊技価値貯蓄領域に累積記録されている数値データと前記貴金属価値データとの演算処理によって前記貴金属価値を算出するように構成される。
【００１１】
権利者が貴金属積立を依頼するかどうかの判断の便宜を図る観点からは、前記データ通信手段を通じて取得した貴金属価値データを保持する貴金属価値データ保持手段と、この貴金属価値データ保持手段に保持されているデータに基づいて貴金属価値データの変動状況を生成し、この変動状況を前記権利者に提示するための貴金属価値提示手段をさらに備えて第１の貴金属景品管理システムを構成する。
【００１２】
前記権利者を前記遊技価値の累積記録及び貴金属の積立を可能にする通常会員として登録するとともに通常会員であることの証明情報を記録した通常会員情報記録媒体を発行する通常会員登録手段と；前記通常会員を貴金属の処分を可能にする特別会員として登録するとともに特別会員であることの証明情報を記録した特別会員情報記録媒体を発行する特別会員登録手段と；をさらに備えて第１の貴金属景品管理システムを構成してもよい。
この場合、前記積立管理手段は、前記通常会員情報記録媒体又は前記特別会員情報記録媒体に記録されている証明情報の読み出しを条件として前記積立要求データを生成するように構成される。
前記特別会員情報記録媒体に、前記指定口座に積み立てられている貴金属の決済時点での価値による電子決済処理を可能にする権限情報が記録されるようにすると、貴金属の現物流通を伴うことなく、貴金属を財的価値として活用することができるようになる。権限情報の記録のみならず、前記特別会員情報記録媒体を、所定のプログラムコードとの協働によって、前記指定口座に積み立てられている貴金属の決済時点での価値による電子決済処理を可能にする決済手段を構築するＩＣチップを搭載した媒体とすることも可能である。
【００１３】
本発明の第２の貴金属景品管理システムは、景品の提供に関わる情報処理を行う一又は複数の第１管理システムと、その価値が日々変動する貴金属の積立用の指定口座を管理する第２管理システムとを含んで構成される。
このような貴金属景品管理システムにおいて、前記第１管理システムは、
前記第２管理システムとの間で双方向のデータ通信を行うとともに、前記第２管理システム又は所定の貴金属価値公表システムから当該時点での貴金属価値を表す貴金属価値データを周期的に取得するデータ通信手段と；景品獲得の権利を有する権利者が獲得すべき当該景品の一部又は全部を前記貴金属価値データに基づいて権利者が申し出た時点の貴金属価値に換算する価値換算手段と；前記権利者からの貴金属積立依頼を受け付ける受付手段と；この受付手段による前記貴金属積立依頼の受付を契機に、前記価値換算手段で換算された貴金属価値に対応する貴金属の積立要求データを生成するとともに、この積立要求データを前記データ通信手段を通じて前記第２管理システムに送信して前記権利者のための貴金属積立を行わせる積立管理手段と；を備えるものであり、
前記第２管理システムは、前記一又は複数の第１管理システムとの間で双方向のデータ通信を行うデータ通信手段と；貴金属を積み立てるための指定口座を前記権利者毎に設定する指定口座設定手段と；いずれかの前記第１管理システムより受領した積立要求データに基づく指定口座への貴金属の積立に関する情報処理を行う積立管理手段と；所定の権限情報を伴う貴金属の処分要求データの受領を契機に前記指定口座からの貴金属の処分に関わる情報処理を行う処分管理手段と；を備えるものである。
【００１４】
この貴金属景品管理システムにおいて、好ましくは、第２管理システムを、前記指定口座が設定される際に貴金属積立用の第１権限情報と、この第１権限情報とは異なる貴金属処分用の第２権限情報とを発行するとともに、これらの権限情報を当該指定口座の識別情報と関連付けて所定の権限情報記録領域に記録しておき、前記積立管理手段による認証の際に第１権限情報が読み出し可能になり、前記処分管理手段による認証の際に第２権限情報が読み出し可能になるように構成する。このようにすることにより、貴金属積立の処理と貴金属処分の処理とを独立させることができる。
【００１５】
前記第２管理システムが、前記指定口座への貴金属積立又は前記指定口座からの貴金属処分に際して、積立又は処分した分の貴金属を流通させるための流通指示データを生成し、この流通指示データを、該当する貴金属流通機関に設置される情報処理システム宛に送信する流通管理手段；を備えるようにすることで、情報処理の結果と貴金属の現物との対応関係を明確にすることができる。
【００１６】
本発明の遊技場管理システムは、所定の遊技の代償として権利者に遊技価値を提供する遊技場に設置されるシステムであって、その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段と；権利者が獲得した遊技価値を不揮発性の遊技価値貯蓄領域に遊戯者毎の数値データとして累積記録する遊技価値貯蓄手段と；前記遊技価値貯蓄手段に累積記録されている遊技価値の一部又は全部を前記権利者による再遊技のために返却するとともに返却した分の遊技価値を前記遊技価値貯蓄領域より差し引く遊技価値返却手段と；前記遊技価値貯蓄手段に累積記録されている遊技価値の一部又は全部を前記貴金属価値データに基づいて前記権利者が申し出た時点の貴金属価値に換算する価値換算手段と；前記権利者からの貴金属積立依頼を受け付ける受付手段と、この受付手段による前記貴金属積立依頼の受付を契機に、前記価値換算手段で換算された貴金属価値に対応する貴金属の積立要求データを生成するとともに、この積立要求データを前記データ通信手段を通じて前記指定口座管理ホストに送信して前記権利者のための貴金属積立を行わせる積立管理手段と；を備えてなるものである。
【００１７】
本発明の貴金属景品の管理方法もまた、少なくとも二つの形態がある。
第１形態の管理方法は、一又は複数の遊技場の各々に設置される貴金属景品管理システムと、その価値が日々変動する貴金属の積立用の指定口座を管理する機関に設置される指定口座管理ホストと、貴金属を流通させる一又は複数の機関の各々に設置される流通管理システムとをデータ通信回線を通じて接続し、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受信した前記積立要求データに基づいて前記権利者用に設定した指定口座に貴金属を積み立てる処理を行う段階と；
前記流通管理システムにおいて、前記権利者が申し出た量の貴金属の返却要求データ又は売却要求データを生成し、生成した返却要求データ又は売却要求データを前記指定口座管理ホストに送信する段階と；
前記指定口座管理ホストにおいて、いずれかの流通管理システムより受信した前記返却要求データ又は売却要求データに基づいて前記指定口座から該当する価値分の貴金属を処分する処理を行う段階と；を有することを特徴とする。
【００１８】
第２形態の管理方法は、一又は複数の遊技場の各々に設置される貴金属景品管理システムと、その価値が日々変動する貴金属の積立用の指定口座を管理する機関に設置される指定口座管理ホストと、貴金属価値に基づく電子決済処理を行う一又は複数の機関の各々に設置される決済管理システムとをデータ通信回線を通じて接続し、
前記貴金属景品管理システムにおいて、遊技による景品獲得の権利を有する権利者が獲得すべき当該景品をその権利者が申し出た時点の貴金属価値に換算するとともに、換算した貴金属価値に対応する貴金属の積立要求データを生成し、この積立要求データを前記指定口座管理ホストに送信する段階と；
前記指定口座管理ホストにおいて、いずれかの貴金属景品管理システムより受領した前記積立要求データに基づいて前記権利者用に設定した指定口座に貴金属を積み立てる処理を行う段階と；
前記決済管理システムにおいて、決済時点の価値に相当する量の貴金属の引き落とし要求データを生成し、生成した引き落とし要求データを前記指定口座管理ホストに送信する段階と；
前記指定口座管理ホストにおいて、いずれかの決済管理システムより受領した前記引き落とし要求データに基づいて前記指定口座から該当する量の貴金属を処分する処理を行う段階と；を有することを特徴とする。
【００１９】
第１形態及び第２形態の管理方法において、公正さを担保する観点からは、前記指定口座管理ホストを、前記一又は複数の遊技場の各々の運営主体と異なる第三者機関に設置する。また、貴金属積立の処理と貴金属処分の処理とを独立にして、貴金属処分の処理を相対的に厳格にする観点からは、前記指定口座管理ホストにおいて、貴金属積立用の第１権限情報と、貴金属処分用の第２権限情報とを権利者用の指定口座毎に設定しておき、前記貴金属景品管理システムには前記第１権限情報に基づく要求のみを許容するようにする。貴金属の財産的価値を担保する観点からは、前記指定口座管理ホストを設置する機関に、前記指定口座に積み立てられている貴金属と略同重量の現物を保有し、前記指定口座からの貴金属の処分に際して、処分した貴金属と同重量の現物を流通可能にしておく。
【００２０】
本発明は、上述した第１の貴金属景品管理システムと同機能のものをコンピュータ又はコンピュータシステムにおいて実現するための第１のコンピュータプログラムと、上述した指定口座管理ホストと同機能のものをコンピュータ又はコンピュータシステムにおいて実現するための第２のコンピュータプログラムとを提供する。これらのコンピュータプログラムは、コンピュータ読み取り可能な記録媒体、例えば、ＣＤ−ＲＯＭ、ＤＶＤ−ＲＯＭ等に記録されて流通可能なものである。
【００２１】
第１のコンピュータプログラムは、その価値が日々変動する貴金属の積立用の指定口座を管理する指定口座管理ホストとの間で双方向のデータ通信を行うとともに、前記指定口座管理ホスト又は所定の貴金属価値公表システムから当該時点での貴金属価値を表す貴金属価値データを周期的に取得するデータ通信手段を備えたコンピュータ又はコンピュータシステムに、
景品獲得の権利を有する権利者が獲得すべき当該景品の一部又は全部を前記貴金属価値データに基づいて権利者が申し出た時点の貴金属価値に換算する処理；
前記権利者からの貴金属積立依頼を受け付ける処理；
前記貴金属積立依頼の受付を契機に、換算された貴金属価値に対応する貴金属の積立要求データを生成するとともに、この積立要求データを前記データ通信手段を通じて前記指定口座管理ホストに送信して前記権利者のための貴金属積立を行わせる処理；を実行させるためのコンピュータプログラムである。
【００２２】
第２のコンピュータプログラムは、一又は複数の遊技場の各々に設置される貴金属景品管理システム、その価値が日々変動する貴金属を流通させる一又は複数の機関の各々に設置される流通管理システム、及び、貴金属価値に基づく電子決済処理を行う一又は複数の機関の各々に設置される決済管理システムとの間で双方向のデータ通信を行うデータ通信手段を備えたコンピュータ又はコンピュータシステムに、
いずれかの貴金属景品管理システムから、遊技により権利者が獲得した貴金属価値に対応する貴金属の積立要求データを受信したときにその積立要求データに基づいて前記権利者用に設定した指定口座に貴金属を積み立てる処理；
いずれかの流通管理システムから、前記権利者が申し出た量の貴金属の返却要求データ又は売却要求データを受信したときにその返却要求データ又は売却要求データに基づいて前記指定口座から該当する価値分の貴金属を処分する処理；
いずれかの決済管理システムから、決済時点での価値に相当する量の貴金属価値の引き落とし要求データを受信したときにその引き落とし要求データに基づいて前記指定口座から該当する量の貴金属を処分する処理；を実行させるためのコンピュータプログラムである。
【００２３】
【発明の実施の形態】
本発明は、パチンコ遊技等の景品として、ファンに対して遊技価値と等価の金地金を提供するホールにおいて、ホール内の遊技管理及び金地金を含む景品の管理を行う遊技場管理システムに適用することができる。以下、この場合の実施形態を説明する。
【００２４】
前提として、金地金の積立を行えるのは、金地金を貴金属景品の一つとして扱うホール毎にホール会員として登録し、且つ、自らの意志によって金地金の積立会員として登録したファンであるものとする。以下の説明では、ホール会員として登録したファンを「ホール会員」、あるホールのホール会員として登録し且つ金地金積立会員としても登録したファンを「Ｇ会員」と称する場合がある。ホール会員には、会員登録したホール内ないし他の提携ホール内で、ホール会員であることを証明するための証明情報を記録した記録媒体、例えば通常会員カード（以下、「Ｋカード」）が発行され、Ｇ会員にはホール内外でＧ会員であることを証明するための証明情報を記録した記録媒体、例えば特別会員カード（以下、「Ｇカード」）が発行されるものとする。
【００２５】
各カードに記録される証明情報としては、運用形態に応じて種々のものを選定することができる。
例えば、Ｋカードを媒介として上述した貯玉サービス及び貯玉再プレイサービスを可能にする運用の場合には、ホール会員の個人情報、暗証番号、ホール会員番号及び貯玉口座の識別情報（あるいはパスワード）を証明情報として選定する。上記の各サービスのほか、Ｋカードを媒介とした金地金の積立をも可能にする場合には、さらに、金地金積立用の第１権限情報をも証明情報として記録しておく。
【００２６】
Ｇカードに記録される証明情報としては、会員の個人情報、暗証番号、ホール会員番号、金地金の指定口座情報、第１権限情報、貴金属処分（返却、返却）用の第２権限情報が選定される。指定口座に積み立てられている貴金属と等価の有価価値による電子決済処理を可能にする場合には、そのための権限情報、例えば電子決済機関が発行する識別情報（ＩＤ）及びパスワードも証明情報として記録される。
【００２７】
ＧカードをＩＣチップ搭載カード、すなわち、ＩＣカードやハイブリッドカードで構成してもよい。電子決済処理を可能にする運用の場合には、セキュリティ性を高める観点からＧカードを、このＩＣチップ搭載カードで構成することが好ましい。この場合には、所定のプログラムコードとの協働により、積み立てられている貴金属の決済時点での価値による電子決済処理を可能にする決済手段をＩＣチップに構築する。このとき、望ましくは、ＩＣチップに暗号アルゴリズムを実現する鍵及びプログラムをも記録しておくようにする。
なお、ＫカードとＧカードとを共用することも可能である。この場合は、１枚のメモリカード（ＩＣチップ搭載カードであってもよい）にＫカード用の証明情報を記録するための領域と、Ｇカード用の証明情報を記録するための領域を形成しておけばよい。
また、Ｋカード、Ｇカードには、それぞれホール会員、Ｇ会員として個人を識別できるだけの情報と暗証番号のみを記録しておき、その記録情報を読み取ることができる端末側で上記の証明情報を管理するような運用も可能である。
【００２８】
次に、本発明の適用場面について説明する。
図１は、本発明の実施状態の一例を示した図である。この図１に示されるように、複数のホールの各々には、遊技場管理システム１が設置される。これらの遊技場管理システム１は、公衆回線Ｌを通じて、Ｇ会員毎の金地金積立口座を管理する指定口座管理法人に設置される指定口座管理ホスト２と双方向のデータ通信を行うことができるようになっている。指定口座管理法人は、各ホールの運営主体、金地金の流通機関の運営主体からそれぞれ独立した存在の第三者機関の一つである。
公衆回線Ｌには、さらに、銀行等の金融機関に設置される金融機関口座管理ホスト３、流通監督機関等に設置される監視機関システム４、ＡＴＭ（オート・テラー・マシン）等の複数の金融機関店頭端末５、提携店舗に設置される複数の提携店端末６、金地金の現物受け渡し等を行う機関等に設置される複数の金地金取扱機関端末７、金地金卸法人や金地金仲買法人等の流通機関に設置される複数の金地金流通機関端末８が接続されている。
【００２９】
［遊技場管理システム］
遊技場管理システム１の構成例を図２に示す。この遊技場管理システム１は、本発明の貴金属景品管理システムをその主たる構成要素として含むものである。必ずしもそのようにする必要はないが、この実施形態では、ホール内サーバ１１、景品管理端末１２、会員管理端末１３、貯玉管理端末１４、通信端末１５、ＰＯＳ（Ｐｏｉｎｔ　ｏｆ　ｓａｌｅ）端末１６、計数機１７、再プレイ用玉返却機１８、及び登録機１９をホール内ネットワークＢに接続して、全体として遊技場管理システム１を構成している。
遊技場管理システム１のうち、ホール内サーバ１１のホール遊技状況の監視制御部分、景品管理端末１２、計数機１７及び再プレイ用玉返却機１８を除く部分が、本発明の貴金属景品管理システムに相当する。
【００３０】
ＰＯＳ端末１６にはカスタマ表示機１６１、Ｇカードからのデータ読み出し（Ｒｅａｄ）及びＧカードへのデータ書き込み（Ｗｒｉｔｅ）を行うＧカードＲ／Ｗ１６２、Ｋカードからのデータ読み出し（Ｒｅａｄ）及びＫカードへのデータ書き込み（Ｗｒｉｔｅ）を行うＫカードＲ／Ｗ１６３、チケットからの勝ち玉計数結果の読み出し（Ｒｅａｄ）及びチケットへのデータ書き込み（Ｗｒｉｔｅ）を行うチケットリーダ１６４が接続されている。
計数機１７には、勝ち玉計数結果を記録したチケットを発券するチケット発券機１７１及びＫカードＲ／Ｗ１７２が接続されている。
再プレイ用玉返却機１８には、ＫカードＲ／Ｗ１８１が接続されており、登録機１９には、操作者（例えばファン）に操作内容を提示するための登録用表示機１９１、ＧカードＲ／Ｗ１９２、Ｋカード発券機の機能を併有するＫカードＲ／Ｗ１９３が接続されている。
【００３１】
ホール内サーバ１１は、それぞれ制御ユニットが搭載されたホール内の各種遊技機の動作監視及びその制御を行うとともに、Ｇ会員からの金地金積立依頼を受け付けて金地金積立に関する種々の情報処理をＰＯＳ端末１６、会員管理端末１３、貯玉管理端末１４との協働で行うコンピュータであり、当該コンピュータに搭載されたプロセッサが所定の記録領域に記録されているサーバ用プログラムを読み込んで実行することにより、図３に例示する種々の機能を当該コンピュータ上に構築する。
すなわち、遊技状況監視制御部１１１、第三者機関情報管理部１１６の機能のほか、金地金による景品の管理に関するホール内金地金取引状況管理部１１２、ホール外金地金取引状況管理部１１３、金価格情報管理部１１４及び指定口座会員情報管理部１１５の機能をコンピュータ上に構築する。
【００３２】
遊技状況監視制御部１１１は、ホール内の遊技機の配置や稼働状況等を記録すするためのホール内ＤＢ（「ＤＢ」はデータベースの略、以下同じ）１１１ｍに記録されているデータに基づいて遊技状況の監視及び個々の遊技機の制御等を行う。
ホール内金地金取引状況管理部１１２は、ファンによる金地金交換の履歴を表す履歴ＤＢ１１２ｍの記録情報に基づいてホール内の金地金の取引状況を管理する。
ホール外金地金取引状況管理部１１３は、金地金取引状況の履歴を表す履歴ＤＢ１１３ｍの記録情報に基づいて当該ホールと金地金の卸を行う金地金卸法人、金地金の仲買を行う金地金仲買法人、金地金の仲売を行う金地金仲売法人あるいは金地金取引市場との間の金地金の取引状況を電子情報の形態で管理する。
金価格情報管理部１１４は、日々変動する金地金の市場価値（買い取り価格）を表すデータを所定の金地金価格公表システムから周期的に（例えば数時間又は１日毎に）入手して価格履歴ＤＢ１１４ｍにデータベース化して保持するとともに単位重量あたりの金地金の現在の市場価値を算定し、この市場価値を逐次ＰＯＳ端末１６に通知する。また、価格履歴ＤＢ１１４ｍに保持されているデータに基づいて市場価値の変動状況を算出し、このデータをＰＯＳ端末１６を通じてファンに提示する。
【００３３】
指定口座会員情報管理部１１５は、登録機１９を通じて、当該ホールで指定口座を新規開設した、あるいは当該ホールで指定口座の利用登録したファン（Ｇ会員）の会員情報を会員情報ＤＢ１１５ｍに記録しておき、その情報を会員管理端末１３と協働で管理するとともに、景品管理端末１２、貯玉管理端末１４、ＰＯＳ端末１６、計数機１７、再プレイ用玉返却機１８及び登録機１９で随時参照できるようにするものである。会員情報ＤＢ１１５ｍに記録される会員情報の一つには金地金積立用の第１権限情報がある。この第１権限情報は、指定口座開設時あるいは当該ホールでの利用登録時に指定口座管理ホスト２から通知されたものである。通常、金地金処分用の第２権限情報については、この会員情報ＤＢ１１５ｍには記録されないが、第２権限情報をも管理する運用形態も不可能ではない。
【００３４】
第三者機関情報管理部１１６は、第三者機関情報ＤＢ１１６ｍに記録されている指定口座管理法人、金地金卸法人、金地金仲買法人、金地金仲売法人、金地金市場、提携店、インターネット窓口機関その他の機関の識別情報に基づいて、通信端末１５に対して関係機関との間の連絡を可能にするための通信用アドレスを出力する。
【００３５】
景品管理端末１２は、ホール内サーバ１１の指示によって動作するコンピュータであり、当該コンピュータ本体に搭載されたプロセッサが所定の記録領域に記録されている景品管理用プログラムを読み込んで実行することにより、ホールに用意される一般景品の仕入れ、一般景品のホール会員への引き渡し、日計管理等の実行を可能にする。
【００３６】
会員管理端末１３は、ホール内サーバ１１の指示によって動作するコンピュータであり、当該コンピュータに搭載されたプロセッサが所定の記録領域に記録されている会員管理用プログラムを読み込んで実行することにより、当該ホールで会員登録したホール会員の会員情報の管理に関する所要の機能を実現する。
【００３７】
貯玉管理端末１４は、ホール会員又はＧ会員として登録されているファン毎の貯玉情報を数値データとして累積的に記録するための貯玉貯蓄領域を有し、新たに貯玉情報が発生するたびに、この貯玉貯蓄領域への累積記録を行うとともに、景品管理端末１２、再プレイ用玉返却機１８等から返却ないし払出を要求するデータが入力されたときには、そのときの貯玉情報（貯玉数）を限度として要求分の玉数を貯玉貯蓄領域から減算する。貯玉貯蓄領域に記録されている貯玉情報は、ＰＯＳ端末１６、景品管理端末１２、計数機１７及び再プレイ用玉返却機１８側で随時参照することができるようになっている。貯玉情報の管理をホールの運営主体とは異なる第三者機関と協働で行う場合には、通信端末１５を通じて、すべてのファンの貯玉情報を当該第三者機関に設置されている管理用コンピュータへ送信するとともに、必要に応じて各貯玉情報を当該管理用コンピュータより受信することができるようにしておく。
【００３８】
通信端末１５は、公衆回線Ｌと遊技場管理システム全体との双方向通信を可能にする端末である。ここでは、通信端末１５が、ホール内サーバ１１、景品管理端末１２、会員管理端末１３、貯玉管理端末１４とは独立の端末として挙げているが、ホール内サーバ１１及び各端末１２〜１４に、公衆回線Ｌを介して外部端末、外部ホスト、外部システムとデータ通信を行う機能を内蔵させ、この機能が本発明の実施に利用できる場合には、通信端末１５は不要となる。
【００３９】
ＰＯＳ端末１６は、勝ち玉あるいは最新の貯玉情報（貯玉数）に基づいた景品をファンに引き渡すための管理を行う従前から存在するＰＯＳ端末を基本構成とし、さらに、金地金の交換及び積立に関する情報処理をホール内サーバ１１と協働で行う機能を付加したものである。
より具体的には、ファンが獲得した勝ち玉、あるいは貯玉情報の一部又は全部を、金価格情報管理部１１４より受領した市場価格に基づいて、そのファンが申し出た時点の市場価値に換算する価値換算機能、Ｇ会員であるファンからの金地金積立依頼を受け付ける受付機能、金地金積立依頼の受付を契機に、換算された市場価値に対応する金地金の積立要求データを生成するとともに、この積立要求データを指定口座管理ホスト２に送信してＧ会員のための金地金積立を行わせる積立管理機能とを有する。
積立要求データの生成に際しては、Ｋカード又はＧカードに記録されている証明情報を読み出し、積立権限の正当性を判定する。ＰＯＳ端末１６で景品に交換できなかった余り玉の情報は、貯玉管理端末１４に通知され、これを貯玉情報として貯玉貯蓄領域に累積記録できるようになっている。
【００４０】
計数機１７は、ファンが獲得した玉を計数し、その結果をチケット発券機１７１を通じてチケット発券したり、そのファンがホール会員である場合にＫカードをＫカードＲ／Ｗ１７２に挿入させ、貯玉管理端末１４に直接貯玉することを許容するための機器であり、ホール内ネットワークＢを介した通信を行う通信機能を有するコンピュータを内蔵している。
【００４１】
再プレイ用玉返却機１８は、ファンがＫカードをＫカードＲ／Ｗ１８１に差し込んで、所定の操作を行うことにより、貯玉管理端末１４で管理されている貯玉数の範囲内で、再プレイ用の玉の返却要求を貯玉管理端末１４に対して行うとともに返却した分の玉数を貯玉貯蓄領域から差し引かせるように動作する機器であり、ホール内ネットワークＢを介してホール内サーバ１１等と通信を行う機能を有するコンピュータを内蔵している。
【００４２】
登録機１９は、ホール会員の登録を受け付けるとともに、指定口座の新規開設の機会をホール会員に与える。ファンがホール会員としての登録を行うことにより、上述したＫカード用の証明情報をホール内サーバ１１及び会員管理端末１３に登録し、この登録データをホール内ネットワークＢを通じて計数機１７、再プレイ用玉返却機１８等で随時参照できるようになっている。
【００４３】
［指定口座管理ホスト］
指定口座管理ホスト２は、図４に示されるように、通信端末２１、積立管理ホスト２２、処分管理ホスト２３、金地金流通機関管理ホスト２４を有している。通信端末２１は、公衆回線Ｌを通じて各遊技場管理システム１、金融機関口座管理ホスト３、監視機関システム４、提携店端末６、金地金取扱機関端末７、金地金流通機関端末８等と双方向のデータ通信を行う端末である。積立管理ホスト２２、処分管理ホスト２３及び金地金流通機関管理ホスト２４がデータ通信機能を内蔵していて、それを本発明の実施に用いることができる場合、通信端末２１を省略することができる。
【００４４】
金地金流通機関管理ホスト２４は、指定口座への貴金属積立又は指定口座からの貴金属処分に際して、積立又は処分した分の貴金属を流通させるための流通指示データを生成し、この流通指示データを、該当する貴金属流通機関に設置される情報処理システム宛に送信する機能を有する。これは、指定口座で管理している貴金属の重量と貴金属の現物との整合性を常に確保しておくための機能である。
【００４５】
積立管理ホスト２２は、指定口座をＧ会員毎に設定する指定口座設定手段として動作するとともに、通信端末２１で受信した金地金の積立要求データ及び該当するＧ会員の第１権限情報をもとにＧ会員毎の指定口座の積立に関する情報処理を行うものである。
処分管理ホスト２３は、通信端末２１で受信した処分要求データ、例えば売却要求データ又は返却要求データと、該当するＧ会員の第２権限情報とをもとに、Ｇ会員毎の指定口座に積み立てられている金地金の売却又は返却に関する情報処理を行うものである。
積立管理ホスト２２と処分管理ホスト２３とを分けたのは、処理分散による負荷の軽減のほかに、処分の際のセキュリティをより強くする必要があったためである。積立管理ホスト２２と処分管理ホスト２３には、共にＧ会員毎の指定口座の内容が記録されており、いずれか一方のホストにおける指定口座の内容が変化した場合には、その内容が他方のホストに伝達され、相互に内容の同期が図られるようになっている。
【００４６】
第１権限情報及び第２権限情報は、指定口座が新たに設定されるたびに発行され、これらの権限情報が当該指定口座の識別情報と関連付けて所定の権限情報記録領域（図示省略）に記録される。そして、積立管理ホスト２２による認証の際に第１権限情報が読み出し可能になり、処分管理ホスト２３による認証の際に第２権限情報が読み出し可能になるようにしておく。
【００４７】
［各種端末］
金融機関店頭端末５、提携店端末６、金地金取扱機関端末７、金地金流通機関端末８等は、ほぼ同様の構成のものを採用することができる。
例えば、図５は、提携店端末６の構成例を示しており、端末本体６１、通信制御部６２、ＰＯＳ処理部６３、ＧカードＲ／Ｗ６４、表示機６５を有している。通信制御部６２は公衆回線Ｌを通じて指定口座管理ホスト２等と通信を行うものであり、ＧカードＲ／Ｗ６４は端末本体６１のインタフェースになって、Ｇカードに記録された情報の読み出し及びＧカードへの情報の記録を行うものであり、ＰＯＳ処理部６３は金地金をもとにした商取引に関する情報処理を行うものであり、表示機６５は情報処理の結果を表示するものである。金融機関店頭端末５、金地金取扱機関端末７、金地金流通機関端末８等も、端末本体、通信制御部、ＰＯＳ処理部、ＧカードＲ／Ｗ、表示機を有している。
【００４８】
＜＜運用形態＞＞
次に、本発明の運用手順、特に、各ホールにおいて勝ち玉を獲得したファンに金地金を景品として提供する場合の運用手順の例を説明する。
【００４９】
＜会員登録の手順＞
金地金を単に景品として引き渡す場合には必ずしもその必要はないが、金地金積立のサービスを行う場合には、それに先だって、指定口座管理ホスト２に指定口座を開設させておく必要がある。指定口座の開設は、ファンがホール外で任意の時点で行うこともできるが、各ホールの登録機１９を通じて、ファン（ホール会員）が自ら指定口座の新規開設申込を行うこともできる。
【００５０】
すなわち、ホール会員が登録機１９のＫカードＲ／Ｗ１９３にＫカードを挿入し、新規口座開設ボタン等を押下して新規口座開設モードに切り換えると、登録用表示機１９１の表示画面が、会員／指定口座開設画面に切り替わる。
登録機１９は、ＫカードＲ／Ｗ１９３から会員情報を読み取り、ホール会員に、暗証番号を入力させる。そして、読み取った会員情報と入力された暗証番号とをホール内サーバ１１へ送信する。
送信した情報が、登録されている会員情報と一致すると、この登録されている情報を登録用表示機１９１に表示させる。表示内容が一致しているかどうかを確認し、相違する場合は、ファンに確認させたうえで、登録機１９で変更を行わせ、登録情報の最新版への更新を行う。その後、指定口座開設のための付加情報をホール会員に入力させる。ホール会員が入力内容を確認したときは、ホール内サーバ１１、会員管理端末１３における当該ホール会員の管理領域に、金地金の積立を可能にするための証明情報を追加登録するとともに、通信端末１５を通じて、指定口座管理ホスト２宛に当該ホールの識別情報、当該ホール会員をＧ会員として認識させるための情報（ホール会員の情報を含む）を送信する。その後、Ｋカードを登録機１９から排出する。
【００５１】
指定口座管理ホスト２は、積立管理ホスト２２にＧ会員用の指定口座を開設し、第１権限情報と第２権限情報とを発行するとともに、第１権限情報については、遊技場管理システム１に通知し、そのホール内サーバ１１及び／又は会員管理端末１３に管理させる。また、第１権限情報及び第２権限情報を記録したＧカードを発行し、これを郵送等によって、Ｇ会員として登録したファンに送付する。そのファンが電子決済処理を希望する場合には、そのための権限情報（上述のとおり）をもＧカードに記録させて、送付する。
これにより、そのファンが指定口座管理ホスト２においてＧ会員として認知され、金地金の積立のみならず、積み立てた金地金の処分が可能になる。
【００５２】
なお、指定口座の開設ルートとしては、金地金卸法人に設置される金地金流通機関端末８を経由して指定口座管理ホスト２に必要情報を送信するというルートもある。この場合は、金地金卸法人が定めるフォーマットにしたがって、ファンが所定の登録用情報を金地金卸法人に伝達することになる。
指定口座の残高については、ＰＯＳ端末１６及び通信端末１５を通じて、あるいは、金地金卸法人に設置される金地金流通機関端末８を通じて、指定口座管理ホスト２へ照会することができる。金地金卸法人に設置される金地金流通機関端末８に指定口座開設の機能及び指定口座の残高照会の機能を持たせておくことにより、指定口座管理ホスト２への通信の集中を避けることができる。
【００５３】
＜他のホールにおける指定口座の利用登録の手順＞
指定口座を開設したファンが、他のホールでもそれを利用できるようにするための登録ないし登録内容の変更を行うことができる。例えば、ホールＡの登録機１９を通じて指定口座を開設したファンが、ホールＣで指定口座の利用登録を行うことができる。この場合、ファンが、ホールＣのＫカード及びＧカードを添えて利用登録の申込を行うことになる。
【００５４】
この申込の手順は、以下のようになる。
ファンがホールＣの登録機１９の指定口座利用登録ボタンを押下して、指定口座利用登録モードに切り換える。ホールＣの登録機１９は、ＫカードＲ／Ｗ１９３でＫカードの記録情報を読み取った後、そのファンに暗証番号を入力させる。そして、読み取った記録情報と入力された暗証番号とをホールＣのホール内サーバ１１へ送信し、それが登録されている情報と一致したときには、現時点で登録されている会員情報をカスタマ表示機１６１に表示させる。カスタマ表示機１６１の表示内容が変化している場合は、ファンに確認させた上で、登録機１９で最新のものへの変更を行う。ファンは、ＧカードをＧカードＲ／Ｗ１９２に挿入し、指定口座暗証番号を入力する。そして、照会キーを押下することにより、ホールＣから指定口座管理ホスト２へ登録情報の照会を行う。
【００５５】
指定口座管理ホスト２は、所定事項のチェックを行い、問題がなければ登録承認電文をホールＣへ応答する。ホールＣの登録機１９は、この登録承認電文を受けて、カスタマ表示機１６１に登録情報の表示を行う。登録承認の表示後、ホールＣのホール内サーバ１１及び／又は会員管理端末１３に指定口座の情報等を追加登録し、ＧカードとＫカードを登録機１９から排出してホール会員に引渡す。これにより、指定口座利用登録完了となる。
【００５６】
なお、ファンが、ホールＡのホール会員であるが、ホールＣの会員登録をしていない場合は、ホールＣにおいてＧカードを先に読み取らせ、暗証番号入力後の指定口座管理ホスト２への照会応答電文に、指定口座管理ホスト２の属性情報も加えて送らせ、この受信した電文によりホールＣのホール会員として、会員情報の登録を行うことにより、ホールＣにおける会員登録を簡単に行うことができるようになる。
【００５７】
＜金地金の交換、積立の手順＞
次に、金地金を景品として提供する場合の遊技場管理システム１の処理手順を、図６の処理手順図、図９の説明図の上段部分及び図１４〜図１６をも参照して説明する。
図９において、遊技場管理システム１は、ホールＡに設置されており、各法人（指定口座管理法人、金地金仲売法人、金地金卸法人、金地金仲買法人）には、それぞれ図示のような指定口座管理ホスト２、金地金取扱機関端末７、金地金流通機関端末８が設置されているものとする。また、金地金取引市場には、金地金流通機関端末８が設置されているものとする。
【００５８】
金地金を景品として提供する場合の処理は、遊技場管理システム１のＰＯＳ端末１６が主導的に行う。
すなわち、ファンが遊技によって勝ち玉を獲得し、その勝ち玉を計数機１７に計数させてチケットに記録させた後、このチケットをＰＯＳ端末１６のチケットリーダ１６４に挿入すると、ＰＯＳ端末１６は、チケットから勝ち玉の数を読み込み（図６：Ｓ１０１）、また、ＫカードＲ／Ｗ１６３に挿入されたＫカードから会員情報を読み込む（Ｓ１０２）。そして、計数結果を会員情報と共に貯玉管理端末１４に伝達する。
貯玉管理端末１４では、会員情報により特定される貯玉貯蓄領域に計数結果を記録する。既に貯玉情報が記録されている場合は、それを更新する。その後、最新の貯玉情報をカスタマ表示機１６１に表示させる（Ｓ１０３）。
【００５９】
ＰＯＳ端末１６は、最新の貯玉情報と当日の金地金の相場を反映した金地金との交換率を表示させる（Ｓ１０４）。つまり、当日の金地金の市場価値と、現在の貯玉情報で交換可能な金地金の重量とを表示させる。このときの画面例を図１４に示す。このような表示画面を通じて、ファンは、自分の貯玉情報から金地金を交換すべきかどうか、交換した場合にそれを積み立てるべきかどうかを容易に判断できるようになる。この交換率は、金地金積立を指定口座管理法人に依頼する金地金卸法人（図９上段参照）又は指定口座管理法人からの当日の金地金の売買金額に基づいて自動的に設定され、当日のＰＯＳ端末１６における金地金の交換玉数の基準情報として自動的に反映されるようになっている。
【００６０】
ファンは、随時、指定口座における残高情報の照会（残高照会）や金地金積立依頼を行うことができる。残高照会があった場合、ＰＯＳ端末１６は、そのファンの会員情報をもとに、指定口座管理ホスト２に残高照会を行って当該ファン用の指定口座の残高情報を取得し、これをカスタマ表示機１６１等に表示させる（Ｓ１０５：Ｙｅｓ、Ｓ１０６）。図１５は、残高照会に対する指定口座管理ホスト２からの返答画面である。
【００６１】
このような表示画面に基づいて交換玉数と第１権限情報の入力を受け付け、第１権限情報による認証結果が正当であれば、ＰＯＳ端末１６は、景品交換確認画面をカスタマ表示機１６１に表示させる（Ｓ１０７：Ｙｅｓ、Ｓ１０８）。図１６は、この場合の画面例を示している。Ｇ会員から確認入力を受け付けた場合は、積立要求データを生成し、これを金地金卸法人（金地金流通機関端末８）経由で、あるいは直接、指定口座管理法人（指定口座管理ホスト２）へ通知する（Ｓ１０９：Ｙｅｓ、Ｓ１１０）。具体的には、指定口座管理ホスト２へデータ通信によって送信する。その後、ホール内サーバ１１（履歴ＤＢ１１２ｍ）に履歴データを記録してＫカードを排出し、これをファンに返却させる（Ｓ１１１）。
【００６２】
ホールＡには、図９上段に示されるように予め金地金卸法人から購入した金地金がストックされており、金地金積立をすることなく、金地金の交換を望むファンに提供できるようになっている。この金地金は、金地金取引市場から直接、あるいは金地金売買法人経由で金地金卸法人に渡ったものである。
指定口座管理法人は、指定口座管理ホスト２を通じて金地金積立処理の依頼を受け取ったときは、金地金卸法人から交換分の金地金の買入依頼を行う。そして、金地金の配送手続が完了した時点で当該Ｇ会員用の指定口座への交換分の金地金積立処理を行い、その結果をホールＡの遊技場管理システム１へ通知する。
【００６３】
流通先としてホールＡを含むこれらの金地金の流通情報は、一定期間、ホールＡの遊技場管理システム１（ホール内サーバ１１の履歴ＤＢ１１３ｍ）、及び金地金卸法人、金地金仲買法人及び金地金取引市場の各々に設置される金地金流通機関端末８、指定口座管理法人に設置される指定口座管理ホスト２の各々の記憶装置に記憶され、ファン又は関係機関からの事後的な照会があった際に、それを読み出して参照することができるようになっている。
【００６４】
なお、金地金卸法人に設置される金地金流通機関端末８では、指定口座管理ホスト２、遊技場管理システム１との間で金地金流通のための情報通信を行う。この情報通信の概要を以下に説明する。
指定口座管理ホスト２から買入情報を受け付けた場合、金地金流通機関端末８は、指定口座管理ホスト２へ『ファン（Ｇ会員）の口座番号の照会』電文を送信する。指定口座管理ホスト２は、口座番号と暗証番号等の必要事項をチェックした後、金地金流通機関端末８へ『口座有効通知』電文を送信する。金地金流通機関端末８は、指定口座の有効確認により、ホールＡの遊技場管理システム１へ『口座有効通知』電文を送信する。遊技場管理システム１では、金地金流通機関端末８へ『指定口座積立申込』電文を送信する。金地金流通機関端末８では、指定口座積立申込電文により金地金の受領を確認すると共に指定口座管理ホスト２へ『金地金の配送と指定口座への積立申込』電文を送信する。指定口座管理ホスト２は、遊技場管理システム１による金地金受領の際の情報記録と指定口座への積立処理とを行い、金地金流通機関端末８へ『金地金受領通知と口座積立完了通知』電文を送信する。金地金流通機関端末８は、遊技場管理システム１へ『指定口座積立通知』電文を送信する。このようにして、指定口座に記録される金地金の情報と現物の金地金とを矛盾なく流通させる策を講じている。
【００６５】
＜金地金の売却手順＞
Ｇ会員であるファンは、自分の指定口座に積み立てられている金地金を任意の時点で売却することができる。売却の申込に際しては、第２権限情報が必要になる。金地金の売却は、基本的には、ファンが、ホールＡの外部で、例えば指定口座管理法人に設置されている指定口座管理ホスト２、金地金売買法人に設置される金地金流通機関端末８、金地金仲売法人に設置される金地金取扱機関端末７等を通じて行う。但し、法律上の問題が解消される場合には、売却の依頼だけはホールＡの遊技場管理システム１（ＰＯＳ端末１６）を通じて行い、売却代金のみを所定の機関の窓口で受け取るようにすることもできる。
ここでは、説明の便宜上、図９の下段部分に示されるように、ファンがＧカードをもとに金地金仲売法人に設置される金地金取扱機関端末７にアクセスして金地金売却申込を行う場合の例を挙げる。
【００６６】
図７は、この場合の金地金取扱機関端末７の処理手順図である。
金地金取扱機関端末７からは、当日の金地金の相場に応じて設定された、金地金の買取価格がファンに提示されており、ファンは、金地金を売却すべきかどうかをこの提示内容によって判断できるようになっている。
ファンが、売却を希望し、ＧカードＲ／ＷにＧカードを挿入すると、金地金取扱機関端末７は、そのＧカードから会員情報を読み込み（Ｓ２０１）、読み込んだ会員情報と、ファンが入力した第２権限情報とをもとに会員認証を行った後（Ｓ２０２）、そのファンの指定口座の残高と金地金買い取り価格を指定口座管理ホスト２より直接、あるいは図９のように、中間の金地金仲売法人に設置される金地金流通機関端末８を介して取得して、表示機に表示させる（Ｓ２０３）。図１７は、この表示機に表示される画面の一例を示している。
【００６７】
この画面を見たファンから希望金額の入力があった場合、金地金取扱機関端末７は、当該金額に相当する金地金売却重量と引き落とし後の残高を表示機へ表示させる（Ｓ２０４：Ｙｅｓ、Ｓ２０５）。
ファンからの確認入力があった場合は、売却代金支払いのための処理を行う。この支払のための処理は、図９下段のように、その金地金取扱機関端末７から現金を直接そのファンに支払うためのものであってもよいが、ここでは、金融機関口座管理ホスト３との連携による個人口座への振込処理、提携店端末６との連携によるカタログ景品の手配処理をも選択できるようにしてある。
すなわち、残高の確認入力によって、金地金取扱機関端末７は、売却代金の支払の形態をファンに選択させる（Ｓ２０７）。ファンが振込を選択した場合には振込のための処理を行う（Ｓ２０８：Ｙｅｓ、Ｓ２０９）。この処理は、図１８のようにファンの個人銀行口座等を入力させるための画面を提示し、銀行口座等が入力された場合には、その銀行口座宛に金融機関口座管理ホスト３経由で売却代金を振り込む処理である。ファンが現金受取を選択した場合は上記のように売却代金引き渡しのための処理を行い（Ｓ２１０：Ｙｅｓ、Ｓ２１１）、ファンがカタログ景品を選択した場合は提携店端末６に連絡して景品手配処理を行う（Ｓ２１２：Ｙｅｓ、Ｓ２１３）。
【００６８】
金地金取扱機関端末７は、その後、ファンの指定口座から金地金重量を差し引くための処理を行う（Ｓ２１４）。具体的には、図９に示される中間の金地金仲売法人に設置される金地金流通機関端末８に、ファンの会員情報、第２権限情報、及び、売却代金（振込金／景品代金）に相当する分の金地金の重量を含む金地金売却取引情報を生成し、これを金地金流通機関端末８へ伝達するとともに、金地金仲売法人からファンに支払った売却代金に相当する金額と手数料とを受け取る。
金地金流通機関端末８は、この金地金取引情報に基づいて売却要求データを生成して指定口座管理ホスト２へ送信するとともに、指定口座管理ホスト２に伝達する。指定口座管理ホスト２は、この金地金取引情報に基づいて当該ファンの指定口座から売却代金に相当する分の金地金の重量を差し引くとともに、その重量の金地金を中間の金地金仲売法人に売却する。金地金仲売法人に売却された金地金は、金地金仲買法人又は金地金取引市場に売却され、金地金の流通経路に戻される。
なお、ファンによる金地金の売却申込及びファンへの売却代金支払いの形態については、図１０のように、金地金流通機関端末８が設置された金地金仲売法人を窓口とする運用形態も可能である。
【００６９】
＜金地金の返却手順＞
Ｇ会員であるファンは、自分の指定口座に積み立てられている金地金の現物の返却を受けることもできる。金地金の返却の申込先及びその受け取り先は、Ｇカードの記録情報を読み取ることができ且つ指定口座管理ホスト２と連携して動作可能な情報処理端末と金地金をストックしている機関であれば、どこでも可能である。
指定口座管理法人に直接返却申込を行ってそこから金地金を受け取ってもよいし（指定口座管理法人が金地金をストックしている場合）、図１１の中段に示されるように、所定の金地金返却取扱店を窓口としてそれらを行ってもよい。
金地金を引き渡す機関（店舗）をファンの側から指定することもできる。
なお、売却時と同様、第２権限情報が必要となる。
【００７０】
金地金の返却の申込を受けた端末による処理手順は、図８のようになる。
当該端末は、Ｇカードから会員情報を読み込み（Ｓ３０１）、第２権限情報による会員認証を行った後（Ｓ３０２）、指定口座管理ホスト２にアクセスして当該ファンについての指定口座の残高を取得し、これを表示機に表示させる（Ｓ３０３）。
ファンから返却重量の入力及び引き落とし後の残高の確認があった場合は（Ｓ３０４：Ｙｅｓ、Ｓ３０５：Ｙｅｓ）、金地金を引き渡す機関（店舗）の指定画面を表示させ（Ｓ３０６）、ファンが機関（店舗）を入力した場合には当該機関への金地金の返却手配の処理を行う（Ｓ３０７：Ｙｅｓ、Ｓ３０８）。その後、返却要求データを生成し、この返却要求データを指定口座管理ホスト２に送信して、当該ファンの指定口座から返却した分の金地金重量を差し引かせる（Ｓ３０９）。ファンに対しては、指定した機関（店舗）で金地金を受け取るための証明書等を発行して返却の処理を終える。
なお、返却申込を受けた機関自体が返却用の金地金をストックしている場合は、ステップＳ３０６〜Ｓ３０８の処理は不要となり、ステップＳ３０９の処理が正常に終了した時点で、ファンに申込分の金地金を引き渡す。
ファンは、このようにして受け取った金地金を、金地金の取引相場の推移を見ながら、適当な時期に任意の金地金取扱機関端末に売却することができる（図１１最下段）。
【００７１】
＜他の運用形態１＞
金地金の売却申込及び代金の受け取りを、ＡＴＭやコンビニエンスストア等に設置されている金融機関店頭端末５を窓口として行うこともできる。図１１中段は、このことを示している。
すなわち、ファンの要求に応じて金融機関店頭端末５が、ファンの指定口座の残高を指定口座管理ホスト２から入手するとともに、現時点での金地金の買取価格を表示させる。ファンは、表示された残高を確認のうえ、受取希望金額を入力する。金融機関店頭端末５では、受取希望金額に相当する金地金売却重量と引落後の残高を表示させ、受取希望金額と引落後の残高等に問題がなければ、ファンに売却決定ボタンを押させる。これにより、指定口座へ積み立ててある金地金の引落申込電文が金融機関口座管理ホスト３へ送信される。金融機関口座管理ホスト３からは、金地金の引落申込電文が指定口座管理ホスト２へ送信される。指定口座管理ホスト２は、口座残高より申込分の価値の金地金の処分処理を行い、口座残高引落通知を金融機関口座管理ホスト３へ送信する。金融機関口座管理ホスト３では、指定口座引落履歴を保管し、手数料等の請求に利用し、口座残高引落通知を指定口座管理ホスト２へ送信する。金融機関店頭端末５では、口座残高引落通知により金地金受取代金として現金を払い出す。ファンは、金融機関店頭端末５から払い出された現金を金地金売却代金として受け取る。
指定口座管理法人は、処分処理した分の金地金を金地金売買法人に販売し、振り込んだ分の現金を確保する。
【００７２】
なお、図１１の例では、金地金の流通状況を、遊技場の運営主体、指定口座管理法人、金地金卸法人、金地金売買法人とは独立した存在の監視機関で監視している。監視機関には、図１に示した監視機関システム４が設置されており、指定口座管理ホスト２における金地金の流通情報のほか、金地金卸法人及び金地金売買法人にそれぞれ設置されている金地金流通機関端末８における金地金の流通情報が逐次記録されるようになっている。この監視機関で流通情報を監視することにより、金地金の流通における不正行為の有無を客観的に把握できるようになり、ひいては、不正行為を行うことの動機付けをなくすことができる。
【００７３】
上記の運用形態を円滑にする場合、金地金の指定口座、振込先の情報、暗証番号その他Ｇ会員となっているファンに関する情報を金融機関口座管理ホスト３に登録しておくことが便利である。
例えば、指定口座の新規開設をホールで行った場合、ホール側から金融機関の窓口へ指定口座の情報、振込先となる個人の銀行口座等を送付する。金融機関は金融機関口座管理ホスト３にこれらの情報を登録しておき、金融機関口座管理ホスト３で金地金の売却代金を振り込む場合に、指定口座管理ホスト２へファンの指定口座等を照会するようにする。指定口座管理ホスト２は、金融機関口座管理ホスト３の求めに応じて必要事項をチェックした後、金融機関口座管理ホスト３へ『口座有効通知』の照会応答電文を送信する。金融機関口座管理ホスト３では、指定口座管理ホスト２からの『口座有効通知』応答電文を待って振込を行う。これにより、売却代金の振込時のトラブル発生を未然に防止することができる。
【００７４】
＜他の運用形態２＞
図１２に示されるように、指定口座管理ホスト２と金融機関口座管理ホスト３との間に金地金仲売法人に設置される金地金流通機関端末８を介在させておき、ファンからの申込分の金地金を指定口座管理法人から金地金仲売法人に売却し、その売却代金を金融機関口座管理ホスト３を通じてファンの銀行口座に振り込み、それを金融機関店頭端末５で現金引き出しという形でファンが受け取るという形態も可能である。
ファンは、金地金流通機関端末８で指定口座の残高を確認して受取希望金額を入力し、振込を指示する。これにより、金融機関店頭端末５の表示が振込金融機関指定画面に切り替わる。ファンは、自己が利用している金融機関名、口座区分、口座番号を入力し、照会ボタンを押す。照会ボタンが押されると、指定口座管理ホスト２にその旨が伝達され、金融機関の個人口座データベースに登録された口座情報を照会応答として照会元の金融機関店頭端末５に返信される。この照会応答電文により、金融機関口座名義人等の必要確認情報が表示される。ファンは、表示内容を確認した後に振込を指示すると、金融機関口座管理ホスト３を通じて振込手続が行われる。その後、金融機関口座管理ホスト３から指定口座管理ホスト２へ振込済通知が伝達され、売却代金の振込手続が完了する。
【００７５】
＜他の運用形態３＞
金地金の売却の申込、金融機関口座への振込申込、カタログ景品配送申込を、指定口座管理法人と提携したＷｅｂサイトが主催するインターネット窓口（ＩＮＴ窓口）を介して行い、売却代金の受け取りは最寄りのＡＴＭ等で行い、カタログ景品の受け取りは、提携店であるカタログ景品取扱店から受け取る形態も可能である。図１３は、この状態を示している。
【００７６】
以上のような実施形態及び運用形態の効用として、以下のものが挙げられる。
（１）金地金の景品としての提供、保管、処分（売却、返却）を、ファン及び現物が介在することなく行うことができるため、偽造品が混入するおそれがない。また、金地金の景品としての提供価格と金地金自体の市場価値とが常に一致するため、金地金を何時でも一般市場で処分可能となり、現状の景品の買い取り問題を解決することができる。ファンにとっても、獲得した金地金の価値が日々変動するので、相対的に高くなった時点で売却できるという期待感が生じ、金地金が魅力的な景品となり得る。
（２）金地金を指定口座で統一的に管理するようにしているので、ホール毎の金地金の在庫リスクがなくなる。
（３）金地金の価格変動をリアルタイムにホールのＰＯＳ端末１６に表示させることにより、全国のどこのホールでも同価値の景品として提供できるようになる。すなわち、等価交換の遵守、公平な競争、優良店の明確化が可能になる。
（４）カタログ景品、一般景品の延長として金地金を景品とすることができるので、ホール運営の合理化を図ることができる。また、獲得した勝ち玉を一旦貯玉情報と合算した後に金地金への交換を行う、という手順により、従前のようなチケット発行が不要となり、チケットの偽造問題を解決することができる。
（５）複数のホールで貯玉した情報に基づいて一つの指定口座に金地金を積み立てることができるので、ホールに拘束されない遊技が可能になる。また、全国どこの金地金取扱店でも金地金の売却が可能になるので、地域に拘束されない遊技の形態が実現される。
（６）Ｇカードに金地金の積立及び処分の履歴データを記録しておき、売却時に指定口座管理ホスト２で管理している指定口座の残高と照合するようにする運用も可能であり、このようにすれば、Ｇカードの記録情報が改竄されているかどうかを容易に検出することができ、Ｇカードに対する改竄の動機付けをなくすことができ、健全な景品管理が可能になる。
（７）積立用の第１権限情報と処分用の第２権限情報とを別個のものとして扱うようにしているので、処分の際のトラブル発生を未然に回避することができる。
（８）指定口座管理ホスト２が、店舗においてファンが商品提供を受けたときの決済情報を提携店端末６を通じて受信するとともに、受信した決済情報に基づいて当該ファン用に積み立てられている金地金の重量を減少させるようにすることで、Ｇカードを公知のデビットカード（Ｄｅｂｉｔ　Ｃａｒｄ）と同等の機能を有するカード媒体として利用できるようになる。この場合の電子決済は、指定口座管理ホスト２で管理している指定口座からの金地金の引き落とし処理だけで済むので、処理が簡略化される。
（９）従前、Ｋカードは、ＫカードＲ／Ｗの製造メーカ毎に異なった媒体が使用されたり、同じ媒体であってもその記録フォーマットが異なり、メーカ間の互換性がないのに対し、本実施形態のシステムによれば、指定口座を介在させることで、そのような制限を実質的になくすことができる。
【００７７】
なお、この実施形態では、遊技場管理システム１を、それぞれコンピュータプログラムによって動作するサーバと複数の端末とをホール内ネットワークＢで接続して構成した場合の例を示したが、データ通信手段を有する１台のコンピュータに、貴金属景品管理の仕組みを実現するための本発明のコンピュータプログラムをロードして遊技場管理システムとして動作させることも可能である。
指定口座管理ホスト２についても同様であり、データ通信手段を有する１台のコンピュータに、指定口座管理の仕組みを実現するための本発明のコンピュータプログラムをロードして、これを指定口座管理ホストとして動作させることも可能である。
【００７８】
この実施形態では、また、本発明の貴金属景品管理システムが、遊技場管理システム１の主要構成要素として実現される場合の例を示したが、遊技場管理システム１の上記主要構成要素と指定口座管理ホスト２とを含んだものも、本発明の貴金属景品管理システムとなり得るものである。また、指定口座管理ホスト２の機能の一部、例えば指定口座の積立管理の部分を遊技場管理システム１が代行し、その機能の実行結果を指定口座管理ホスト２に逐次伝達するようにしてもよい。
また、この実施形態では、金地金の交換、積立、売却の際に、金地金自体が一部流通する場合の例を示したが、金地金の現物については現実に流通させることなく、金地金の取引情報のみの操作によって金地金を遊技の景品として管理するようにしてもよい。
【００７９】
さらに、この実施形態では、遊技媒体として、パチンコ用の玉を例に挙げて説明したが、パチスロ等で使用されるメダルの場合にも同様の説明が成り立つものである。また、貴金属の例として金地金を例に挙げて説明したが、プラチナ、銀、その他一般市場で取引可能な貴金属についても同様の説明が成り立つものである。
【００８０】
【発明の効果】
以上の説明から明らかなように、本発明によれば、ファンの立場からは魅力的な市場価値のある景品を受け取ることができ、且つ業界の健全な発展に寄与する情報処理の仕組みを提供することができる。
【図面の簡単な説明】
【図１】遊技場管理システムの使用状態例を示す説明図。
【図２】遊技場管理システムの構成例を示す図。
【図３】ホール内サーバに構築される機能ブロックの一例を示す図。
【図４】指定口座管理ホストが設置される機関におけるシステム構成図。
【図５】提携店端末の構成図。
【図６】金地金を景品とし、且つファンから金地金積立依頼を受けた場合の処理手順説明図。
【図７】ファンから金地金売却依頼を受けた場合の処理手順説明図。
【図８】ファンから金地金の返却依頼を受けた場合の処理手順説明図。
【図９】金地金を景品とする場合の一般的な運用形態を示す説明図。
【図１０】金地金を景品とする場合の他の運用形態を示す説明図。
【図１１】金地金を景品とする場合の他の運用形態を示す説明図。
【図１２】金地金を景品とする場合の他の運用形態を示す説明図。
【図１３】金地金を景品とする場合の他の運用形態を示す説明図。
【図１４】日々変動する金地金の価値（変換率）をファンに提示する場合の画面例を示す図。
【図１５】ファン（ファン）に対して現在の指定口座の残高情報を提示する場合の画面例を示す図。
【図１６】貯玉から金地金に交換する際にファン（ファン）が指定した内容を確認する場合の画面例を示す図。
【図１７】金地金売却申込の案内用の画面例を示す図。
【図１８】金地金を売却したときの振込申込用の画面例を示す図。
【符号の説明】
１　遊技場管理システム
２　指定口座管理ホスト
３　金融機関口座管理ホスト
４　監視機関システム
５　金融機関店頭端末
６　提携店端末
７　金地金取扱機関端末
８　金地金流通機関端末
１１　ホール内サーバ
１１１　遊技状況監視制御部
１１２　ホール内金地金取引状況管理部
１１３　ホール外金地金取引状況管理部
１１４　金価格情報管理部
１１５　指定口座会員情報管理部
１１６　第三者機関情報管理部
１１１ｍ〜１１６ｍ　データベース（ＤＢ）
１２　景品管理端末
１３　会員管理端末
１４　貯玉管理端末
１５　通信端末
１６　ＰＯＳ端末
１６１　カスタマ表示機
１６２　ＰＯＳ用ＧカードＲ／Ｗ
１６３　ＰＯＳ用ＫカードＲ／Ｗ
１６４　チケットリーダ
１７　計数機
１７１　チケット発券機
１７２　計数機用ＫカードＲ／Ｗ
１８　再プレイ用玉返却機
１８１　返却機用ＫカードＲ／Ｗ
１９　登録機
１９１　登録用表示機
１９２　登録用ＧカードＲ／Ｗ
１９３　登録用ＫカードＲ／Ｗ
２１　指定口座管理ホストの通信端末
２２　積立管理ホスト
２３　処分管理ホスト
２４　金地金流通機関管理ホスト
６１　端末本体
６２　通信制御部
６３　ＰＯＳ処理部
６４　ＧカードＲ／Ｗ
６５　表示機
Ｌ　公衆回線
Ｂ　ホール内ネットワーク
【図１】
2004049649.tif 000003
【図２】
2004049649.tif 000004
【図３】
2004049649.tif 000005
【図４】
2004049649.tif 000006
【図５】
2004049649.tif 000007
【図６】
2004049649.tif 000008
【図７】
2004049649.tif 000009
【図８】
2004049649.tif 000010
【図９】
2004049649.tif 000011
【図１０】
2004049649.tif 000012
【図１１】
2004049649.tif 000013
【図１２】
2004049649.tif 000014
【図１３】
2004049649.tif 000015
【図１４】
2004049649.tif 000016
【図１５】
2004049649.tif 000017
【図１６】
2004049649.tif 000018
【図１７】
2004049649.tif 000019
【図１８】
2004049649.tif 000020